(57)【特許請求の範囲】
【請求項１】
吸水性樹脂及び接着剤を含有してなる吸収層（ただし、発泡樹脂弾性体シートは含まない。）が、不織布により該吸収層の上方及び下方から挟持された構造を有する吸水シートであって、該不織布の厚さが８０〜４５０μｍであり、該吸収層が該不織布上に均一に存在し、該吸収層が通気性分画層によって１次吸収層と２次吸収層とに分画されてなる積層構造を有し、該不織布のうちの少なくとも１枚がスパンボンド不織布であり、かつ該不織布のうちの少なくとも下方の不織布が親水性不織布である、吸水シート。
【請求項２】
スパンボンド不織布が、ポリオレフィン、ポリエステル及びそれらの混合体からなる群より選択される繊維を含むスパンボンド不織布である、請求項１に記載の吸水シート。
【請求項３】
不織布の目付量が３５ｇ／ｍ2以下である、請求項１又は２に記載の吸水シート。
【請求項４】
不織布のうちのスパンボンド不織布以外の少なくとも１枚が、レーヨン繊維、レーヨン繊維／ポリオレフィン繊維及びレーヨン繊維／ポリエステル繊維からなる群より選択される１種以上の繊維を構成単位とする不織布である、請求項１〜３のいずれか１項に記載の吸水シート。
【請求項５】
通気性分画層が不織布である、請求項１〜４のいずれか１項に記載の吸水シート。
【請求項６】
吸水シート１ｍ2あたりの吸水性樹脂の含有量が１００〜１０００ｇであり、かつ接着剤の含有量が吸水性樹脂の含有量の０．０５〜２．０倍である、請求項１〜５のいずれか１項に記載の吸水シート。
【請求項７】
接着剤が、ポリオレフィン系接着剤、ポリエステル系接着剤、エチレン−酢酸ビニル共重合体接着剤及びスチレン系エラストマー接着剤からなる群より選択される１種以上である、請求項１〜６のいずれか１項に記載の吸水シート。
【請求項８】
請求項１〜７のいずれか１項に記載の吸水シートであって、以下の（Ａ）〜（Ｃ）：
（Ａ）吸水シートの厚みが３ｍｍ以下、
（Ｂ）合計浸透速度が１００秒以下、及び
（Ｃ）漏れ指数が１００以下、
の性質を有する、吸水シート。
【請求項９】
請求項１〜８のいずれか１項に記載の吸水シートの製造方法であって、不織布上で吸水性樹脂と接着剤の混合粉末を均一に散布し、又は、不織布上に接着剤を塗布した後、吸水性樹脂を均一に散布して、前記吸収層を該不織布上に均一に存在させる工程を含む、吸水シートの製造方法。
【請求項１０】
請求項１〜８のいずれか１項に記載の吸水シートを、液体透過性シート及び液体不透過性シートで挟持してなる吸収性物品。
【発明の詳細な説明】
【技術分野】
【０００１】
本発明は、衛生材料分野等に使用し得る吸水シートに関する。さらに詳しくは、従来より薄型であっても、高い吸収性能を有し、かつ吸水シートの形態保持性も高いので、紙おむつ、失禁パッド等の吸収性物品に好適に使用し得る、パルプの極めて少ない吸水シートに関する。さらに本発明は、かかる吸水シートを用いてなる吸収性物品に関する。
【背景技術】
【０００２】
紙おむつ等に代表される吸収性物品は、体液等の液体を吸収する吸収体が、体に接する側に配された柔軟な液体透過性の表面シート（トップシート）と、体と接する反対側に配された液体不透過性の背面シート（バックシート）とにより挟持された構造を有する。【０００３】
従来、デザイン性、携帯時における利便性、流通時における効率などの観点から、吸収性物品の薄型化、軽量化に対する要求は高まっていた。さらに近年、環境保全の観点から、資源を有効に利用し、樹木のような成長に長期間を要する天然素材の使用を極力回避する、いわゆるエコ・フレンドリーな志向にニーズが集まりつつある。従来、吸収性物品において一般的に行われている薄型化のための方法としては、例えば、吸収体中の吸水性樹脂を固定する役割である木材の解砕パルプ等の親水性繊維を減らし、吸水性樹脂を増加させる方法があった。【０００４】
親水性繊維の比率を低くし、吸水性樹脂を多量に使用した吸収体は、嵩高い親水性繊維を減らし、液体を保持するという観点からは薄型化に好ましい。しかしながら、実際に紙おむつ等の吸収性物品に使用された際の液体の分配や拡散を考えた場合、多量の吸水性樹脂が吸収によって柔らかいゲル状になると、いわゆる「ゲルブロッキング現象」が発生し、液拡散性が格段に低下し、吸収体の液浸透速度が遅くなるという欠点を有する。この「ゲルブロッキング現象」とは、特に吸水性樹脂が多く密集した吸収体が液体を吸収する際、表層付近に存在する吸水性樹脂が液体を吸収し、表層付近で柔らかいゲルがさらに密になることで、吸収体内部への液体の浸透が妨げられ、内部の吸水性樹脂が効率良く液体を吸収できなくなる現象のことである。【０００５】
そこで、これまでにも親水性繊維を減らし、吸水性樹脂を多量に使用した時に発生するゲルブロッキング現象を防ぐ手段として、例えば、特定の食塩水流れ誘導性、圧力下性能等を有する吸収性重合体を使用する方法（特許文献１参照）、特定の吸水性樹脂前駆体に特定の表面架橋剤を加熱処理した吸水性樹脂を用いる方法（特許文献２参照）等が提案されている。【０００６】
しかしながら、これらの方法では、吸水性樹脂を多量に使用した吸収体としての吸収性能は満足できるものではない。また、吸水性樹脂を固定する役割を担う親水性繊維を減らすことにより、吸水性樹脂が使用前または使用中に移動するという問題が生じる。吸水性樹脂の偏りが発生した吸収体は、よりゲルブロッキング現象を引き起こしやすくなる傾向にある。【０００７】
さらに、形態保持に寄与する親水性繊維を減らした吸収体は、吸収体としての形態保持性が低下し、液体の吸収前又は吸収後において、よじれや断裂などの型くずれを起こしやすくなる。型くずれをした吸収体は、液体の拡散性が格段に低下するため、吸収体の本来の能力を発揮できなくなる。このような現象を避けようとすれば、親水性繊維と吸水性樹脂の比率が制限され、吸収性物品の薄型化にも限界が生じる。【０００８】
そこで近年は、吸収体における親水性繊維を極力使用せずに、吸水性樹脂の含有量を高めることのできる次世代型吸収体として、吸収層内に実質的に親水性繊維を含まない吸収積層体や、吸水シートなどの研究が幅広く検討されている。例えば、２枚の不織布が不織布間に設けられた上下２層のホットメルト接着剤からなる網状体層によって接着されている吸収積層体を用いる方法（特許文献３参照）、２枚のメルトブローン不織布の間に吸水性ポリマーを封入する方法（特許文献４参照）、疎水性不織布と親水性シートとの間に吸水性ポリマー粒子を介在させる方法（特許文献５参照）などが挙げられる。【０００９】
しかし、親水性繊維をほとんど使用しない場合、前記のゲルブロッキング現象が起こりやすい。ゲルブロッキング現象が発生しない場合でも、尿などの体液を一時的に保水し、吸収体全体に液を拡散するという、従来の親水性繊維の役割を担うものが無いため、吸収積層体が液体を十分に捕捉できずに、液漏れが発生する傾向にある。【００１０】
さらに、吸収積層体の形態保持のために接着剤を用いると、吸水性樹脂の表面が接着剤によって被覆され、吸収性能が低下する傾向にある。あるいは、接着剤によって上面と下面の不織布が強固に接着されて、吸水性樹脂が袋状に閉じ込められるなどして、吸水性樹脂本来の吸水性能が発揮できない傾向にある。【００１１】
吸収性能を向上させるために、吸収積層体の接着力を弱めた場合、積層体を加工する際に、吸水性樹脂の脱落が多大となり経済上好ましくないばかりか、接着力不足により積層体が剥離して商品価値が失われる可能性も生じる。すなわち、接着を強めれば、ゲルブロッキング現象や液漏れが発生し、接着を弱めれば、吸水性樹脂の脱落や積層体の破壊が発生するため、満足できる性能の吸収積層体、吸水シートは得られていない。【００１２】
接着剤を用いずに基材に吸水性樹脂を固定化する方法もある。例えば、重合進行中の吸水性ポリマー粒子を合成繊維質の基材に付着させ、繊維質基材上で重合を行う方法（特許文献６参照）、アクリル酸及びアクリル酸塩を主成分とする単量体水性組成物を不織布基材上で電子線照射によって重合させる方法（特許文献７参照）等がある。【００１３】
これらの方法では、ポリマー粒子中に合成繊維質の基材が入り込んで堅固に固着されるが、基材中で重合反応を完結させることが難しく、未反応の残存モノマー等が多くなるという欠点を有する。
【先行技術文献】
【特許文献】
【００１４】
【特許文献１】特表平９−５１０８８９号公報
【特許文献２】特開平８−５７３１１号公報
【特許文献３】特開２０００−２３８１６１号公報
【特許文献４】特開平７−０５１３１５号公報
【特許文献５】特開２００２−３２５７９９号公報
【特許文献６】特開２００３−１１１１８号公報
【特許文献７】特開平０２−０４８９４４号公報
【発明の概要】
【発明が解決しようとする課題】
【００１５】
そこで、本発明は、パルプの極めて少ない吸水シートであっても、吸水シートとしての基本的な性能（吸水シートの速い液浸透速度、少ない逆戻り量、少ない液漏れ量、吸水シートの形態保持性）を高いレベルで確保しつつ、吸水性樹脂の含有量が多いにもかかわらず、薄型化とゲルブロッキング現象の回避を達成することができる吸水シートを提供することを課題とする。
【課題を解決するための手段】
【００１６】
即ち、本発明の要旨は、
〔１〕吸水性樹脂及び接着剤を含有してなる吸収層が、不織布により当該吸収層の上方及び下方から挟持された構造を有する吸水シートであって、当該吸収層が通気性分画層によって１次吸収層と２次吸収層とに分画されてなる積層構造を有し、当該不織布のうちの少なくとも１枚がスパンボンド不織布であり、かつ当該不織布のうちの少なくとも下方の不織布が親水性不織布である、吸水シート；並びに
〔２〕前記〔１〕に記載の吸水シートを、液体透過性シート及び液体不透過性シートで挟持してなる吸収性物品、に関するものである。
【発明の効果】
【００１７】
本発明の吸水シートは、パルプが極めて少なく、かつ従来のものよりもより薄型の吸水シートであっても、特定の不織布を用い、さらに少なくとも吸水シートの吸収層の下方の不織布を親水性不織布とすることで、吸水シートとしての基本的な性能を高いレベルで確保しつつ、ゲルブロッキング現象及び液漏れの回避を達成することができるという効果を奏する。
【図面の簡単な説明】
【００１８】
【図１】図１は、本発明の吸水シートの構造を模式的に示す拡大断面図である。
【図２】図２は、本発明の吸水シートの別の形態を模式的に示す拡大断面図である。
【図３】図３は、本発明の吸水シートの別の形態を模式的に示す拡大断面図である。
【図４】図４は、吸水性樹脂の初期吸水速度及び有効吸水量を測定するために用いる測定装置の概略図である。
【図５】図５は、傾斜における漏れ試験を実施するために用いる装置の概略図である。
【発明を実施するための形態】
【００１９】
本発明の吸水シートは、吸水性樹脂及び接着剤を含有してなる吸収層が、不織布により当該吸収層の上方及び下方から挟持された構造を有する吸水シートであって、当該吸収層が通気性分画層によって１次吸収層と２次吸収層とに分画されてなる積層構造を有し、当該不織布のうちの少なくとも１枚がスパンボンド不織布であり、かつ該不織布のうちの少なくとも下方の不織布が親水性不織布であることを、一つの特長とする吸水シートである。
【００２０】
かかる構造とすることにより、１次吸収層と２次吸収層の間にある通気性分画層により、適度な液体の分配と拡散がなされることで、排尿初期におけるゲルブロッキング現象の防止と２次吸収層への効率的な透水の両者が達成され、少なくとも吸水シートの吸収層の下方の不織布が親水性を有することにより、吸水シート裏面側への急激な液体の通過が防止され、液漏れの防止も達成される。かかる構造とすることにより、とりわけ傾斜時における液漏れが飛躍的に改善される。さらに、特定の目付量のスパンボンド不織布を所定枚数用いることで、吸水シートの薄さと形態保持性と肌触りの全てを満足し、吸収性物品のなかでもより高度な吸収性能が求められる紙おむつの吸収体にも使用できる吸水シートとすることができる。
【００２１】
なお、この吸水シートは、吸収層内における吸水性樹脂の固定及び吸収層の形態保持に寄与するパルプ等の親水性繊維を実質的に吸収層内に含まず、パルプ使用量が極めて少ないものである。
【００２２】
通気性分画層によって分画されている積層構造を有する吸収層の挟持に用いられる不織布の枚数としては特に限定されないが、例えば、当該吸収層の上方から１枚以上、下方から１枚以上とすることが好ましく、上方及び下方の不織布がそれぞれ１枚であることが、より好ましい。また、吸収層の挟持に用いられる不織布のうち、傾斜時における液漏れ防止などの吸収性能を高める観点から、少なくとも吸収層の下方の不織布は親水性不織布であり、吸収層の上方及び下方の不織布が親水性不織布であることがより好ましい。本明細書における吸水シートの吸収層の上方とは、当該吸水シートを用いて吸収性物品を作製した時に、吸収対象の液体が供給される側に最も近い層をいい、吸収層の下方とは、吸収対象の液体が供給される側から最も遠い層をいう。
【００２３】
前記吸収層の挟持に用いられる不織布の種類としては、当該技術分野で公知の不織布であれば特に限定されないが、液浸透性、柔軟性及び吸水シートとした際の強度の観点から、ポリエチレン(PE)、ポリプロピレン(PP)等のポリオレフィン繊維、ポリエチレンテレフタレート(PET)、ポリトリメチレンテレフタレート(PTT)、ポリエチレンナフタレート(PEN)等のポリエステル繊維、ナイロン等のポリアミド繊維、レーヨン繊維、その他の合成繊維製の不織布や、綿、絹、麻、パルプ（セルロース）繊維等が混合されて製造された不織布等が挙げられ、これらの２種以上の繊維を含む混合体であってもよい。
【００２４】
不織布は素材によって、最適な合成方法が異なる。ポリオレフィン繊維、ポリエステル繊維、ポリアミド繊維のような化学合成樹脂に由来する繊維の製造方法としては、カードウェブに接着樹脂を塗布して繊維同士を接着させるケミカルボンド法、低融点繊維を含むカードウェブを加熱して低融点繊維を溶かして繊維同士を融着させるサーマルボンド法、熱溶融したポリマーをノズルから押し出してウェブを形成し、熱エンボスローラーで熱圧着するスパンボンド法（繊維径：１０〜５０μｍ）、スパンボンド法に準拠して熱溶融したポリマーをノズルから押し出す際に、繊維に熱風を吹き付けてさらに繊維を細くするメルトブローン法（繊維径：１０μｍ未満）等が挙げられる。
【００２５】
このうち、ケミカルボンド法、サーマルボンド法によるものは、不織布が比較的厚く、感触も硬くなる傾向がある。また、メルトブローン法のみによって製造された不織布は、不織布の強度が弱く、表面の感触が悪い傾向がある。繊維径が適度な範囲であるスパンボンド法によるものは、不織布が比較的薄く、感触にも優れた不織布が得られる傾向にある。
【００２６】
一方、レーヨン不織布は、主に水流により繊維を絡みあわせるスパンレース法によって合成され、必要に応じてポリエステル繊維、熱融着繊維が適量配合される。このようなスパンレース不織布は、概して親水性であり、柔軟性も有する。
【００２７】
これら不織布のうち、吸収層の挟持に用いられる不織布のうちの少なくとも１枚はスパンボンド不織布である。かかる構成とすることにより、吸水シートの薄型化と形態保持性の確保との両者を満足させることができる。吸収層の挟持に用いられる不織布としては、吸収層の上方及び下方の不織布の両方がスパンボンド不織布であることが好ましい。多種多様のスパンボンド不織布において、吸水シートの形態保持性の確保、吸水性樹脂の目抜けによる脱落防止の観点から、ポリオレフィン繊維、ポリエステル繊維及びそれらの混合体を含む群より選択される繊維より製造されるスパンボンド不織布がより好ましい。かかるスパンボンド不織布のなかで、多層構造の不織布がさらに好ましく、なかでもポリオレフィン繊維のスパンボンド−メルトブローン−スパンボンド(SMS)不織布、およびスパンボンド−メルトブローン−メルトブローン−スパンボンド(SMMS)不織布がより好ましく用いられ、ポリプロピレン繊維を主成分とするSMS不織布、SMMS不織布がとりわけ好ましく用いられる。このような、中間層にメルトブローンの部分が副次的に添加されているスパンボンド不織布も、本明細書でいうスパンボンド不織布に包含される。
【００２８】
その他に、シートを形成した際の吸収性能、柔軟性をより高める観点から、レーヨン繊維を主成分とするスパンレース不織布も、本発明の不織布として好ましく用いられる。
【００２９】
吸収層の挟持に用いられる不織布のうちの少なくとも下方の不織布は、親水性不織布である。親水性不織布としては、前記した不織布のうち、レーヨン繊維のように素材自身が親水性を示すものを用いてもよいし、ポリオレフィン繊維、ポリエステル繊維のような疎水性の化学繊維に、公知の方法で親水化処理したものを用いてもよい。親水化処理の方法としては、例えば、スパンボンド不織布において、疎水性の化学繊維に親水化剤を混合したものをスパンボンド法にて不織布を得る方法、疎水性化学繊維でスパンボンド不織布を作製する際に親水化剤を同伴させる方法、または疎水性化学繊維でスパンボンド不織布を得た後に親水化剤を含浸させる方法などが挙げられる。親水化剤としては、脂肪族スルホン酸塩、高級アルコール硫酸エステル塩等のアニオン系界面活性剤、第４級アンモニウム塩等のカチオン系界面活性剤、ポリエチレングリコール脂肪酸エステル、ポリグリセリン脂肪酸エステル、ソルビタン脂肪酸エステル等のノニオン系界面活性剤、ポリオキシアルキレン変性シリコーン等のシリコーン系界面活性剤、およびポリエステル系、ポリアミド系、アクリル系、ウレタン系の樹脂からなるステイン・リリース剤等が用いられる。不織布の親水性は、低すぎると吸水シートの吸収性能が悪化する一方、必要以上に高くても吸収性能はそれに見合うほど向上しないため、適度な親水性を有していることが望ましい。その観点から、後述される「不織布の親水度」の測定方法に従って測定した時の親水度が、５〜２００のものが好ましく用いられ、８〜１５０のものがより好ましく、１０〜１００のものがさらに好ましく、１２〜８０のものがよりさらに好ましい。
【００３０】
吸収層の挟持に用いられる不織布としては、本発明の吸水シートに、柔軟性、形態保持性やクッション性を付与すること、及び吸水シートの浸透速度を速める観点から、適度な目付量と、適度な厚さを有する不織布が好ましい。その目付量としては３５ｇ／ｍ2以下が好ましく、５〜３０ｇ／ｍ2の範囲がより好ましく、８〜２５ｇ／ｍ2の範囲がさらに好ましく、１０〜２０ｇ／ｍ2の範囲がよりさらに好ましく、１１〜１５ｇ／ｍ2の範囲が最も好ましい。また、不織布の厚さとしては、２０〜８００μｍの範囲が好ましく、５０〜６００μｍの範囲がより好ましく、８０〜４５０μｍの範囲がさらに好ましい。
【００３１】
本発明の吸水シートにおいては、吸水シートの性能向上及び品質の安定を図る観点から、二つに分画された吸収層を有する。ここで、「分画された」とは、要すれば二つに分画するための部材の導入によって、１次吸収層と２次吸収層とが個別に層形成されることを意味する。このような構造としては、例えば、１次吸収層と２次吸収層とが通気性分画層により隔てられて接着された積層構造等が挙げられる。
【００３２】
通気性分画層は、適度な通気性と通液性を有するが、吸水性樹脂のような粒子状物は実質的に通過しない層であればよい。通気性分画層の好ましい素材の具体例としては、前記の吸収層の挟持に用いられるものと同様の不織布、PE、PP繊維からなる細孔を有するネット等の網状物、パフォーレイティッドフィルム等の多孔質フィルム、ティッシュペーパー等の衛生用紙及びパルプ／PE／PPからなるエアレイド型不織布等のセルロース含有合成繊維不織布からなる群より選択される少なくとも１種の素材が挙げられる。吸水シートの吸収性能（浸透速度、傾斜における漏れ等）の観点から、好ましくは前記の吸収層の挟持に用いられるものと同様の不織布であり、より好ましくは前記のスパンボンド不織布である。
【００３３】
通気性分画層の厚さと目付量は、特に限定されない。より好ましい形態として例示すれば、目付量としては３５ｇ／ｍ2以下が好ましく、５〜３０ｇ／ｍ2の範囲がより好ましく、８〜２５ｇ／ｍ2の範囲がさらに好ましく、１０〜２０ｇ／ｍ2の範囲がよりさらに好ましく、１１〜１５ｇ／ｍ2の範囲が最も好ましい。また、通気性分画層の厚さとしては、２０〜８００μｍの範囲が好ましく、５０〜６００μｍの範囲がより好ましく、８０〜４５０μｍの範囲がさらに好ましい。通気性分画層は、本発明の吸水シートに、柔軟性、形態保持性やクッション性を付与すること、及び吸水シートの浸透速度を速め、傾斜時の液漏れを防止する観点から、適度な目付量と、適度な厚さを有する不織布が好ましい。
【００３４】
吸水性樹脂の種類としては、市販の吸水性樹脂が使用でき、例えば、澱粉−アクリロニトリルグラフト共重合体の加水分解物、澱粉−アクリル酸グラフト重合体の中和物、酢酸ビニル−アクリル酸エステル共重合体のケン化物、ポリアクリル酸部分中和物等が挙げられる。これらのなかでは、生産量、製造コストや吸水性能等の点から、ポリアクリル酸部分中和物が好ましい。ポリアクリル酸部分中和物を合成する方法としては、逆相懸濁重合法、及び水溶液重合法が挙げられる。なかでも、得られる粒子の流動性の良さや微粉末の少なさ、吸収容量や吸水速度などの吸水性能が高いという観点から、逆相懸濁重合法により得られる吸水性樹脂が、より好ましく使用される。
【００３５】
より具体的には、少なくとも一方の吸収層に用いられる吸水性樹脂が逆相懸濁重合法により得られる吸水性樹脂である態様が好ましく、２次吸収層に用いられる吸水性樹脂が逆相懸濁重合法により得られる吸水性樹脂である態様がより好ましく、１次吸収層及び２次吸収層に用いられる吸水性樹脂の両者が逆相懸濁重合法により得られる吸水性樹脂である態様がさらに好ましい。
【００３６】
ポリアクリル酸部分中和物の中和度は、吸水性樹脂の浸透圧を高め、吸水性能を高める観点から、５０モル％以上が好ましく、７０〜９０モル％がさらに好ましい。
【００３７】
吸水シートにおける吸水性樹脂の（１次吸収層と２次吸収層とを合わせた）含有量は、本発明の吸水シートが吸収性物品に使用された際にも十分な吸収性能を得る観点から、吸水シートの１ｍ2あたり１００〜１０００ｇ（即ち１００〜１０００ｇ／ｍ2）が好ましく、より好ましくは１５０〜８００ｇ／ｍ2、さらに好ましくは２００〜７００ｇ／ｍ2であり、よりさらに好ましくは２２０〜６００ｇ／ｍ2である。吸水シートとしての十分な吸収性能を発揮させ、逆戻りを抑制する観点から、当該含有量は１００ｇ／ｍ2以上であることが好ましく、ゲルブロッキング現象の発生を抑制し、吸水シートとして液体の拡散性能を発揮させ、さらに液体の浸透速度を改善する観点から、当該合計含有量は１０００ｇ／ｍ2以下が好ましい。
【００３８】
１次吸収層／２次吸収層の樹脂比率（質量比）としては、１次吸収層／２次吸収層＝９８／２〜５０／５０の範囲が好ましく、１次吸収層／２次吸収層＝９８／２〜６０／４０の範囲がより好ましく、１次吸収層／２次吸収層＝９５／５〜７０／３０の範囲がさらに好ましく、１次吸収層／２次吸収層＝９５／５〜８０／２０の範囲がよりさらに好ましい。２次吸収層の吸収性を十分に発揮し、液漏れを防止する観点から、１次吸収層の比率は９８以下であることが好ましく、吸液後における１次吸収層のドライ感を高め、逆戻りを少なくする観点から、１次吸収層の比率は５０以上であることが好ましい。
【００３９】
本発明の吸水シートの吸収性能は、使用される吸水性樹脂の吸水性能に影響をうける。よって本発明で使用される吸水性樹脂は、吸水シートの各成分の構成等を考慮して、吸水性樹脂の吸収容量（有効吸水量、保水能等の指標にて表される）、吸水速度等の吸水性能が好適な範囲のものを選択することが好ましい。従って、１次吸収層の吸水性樹脂の種類と２次吸収層の吸水性樹脂の種類は、同一であってもよく、異なっていてもよい。
【００４０】
本明細書において、吸水性樹脂の保水能は生理食塩水保水能として評価される。吸水性樹脂の生理食塩水保水能は、液体をより多く吸収し、かつ吸収時のゲルを強く保ちゲルブロッキング現象を防止する観点から、２５ｇ／ｇ以上が好ましく、２５〜６０ｇ／ｇがより好ましく、３０〜５０ｇ／ｇがさらに好ましい。吸水性樹脂の生理食塩水保水能は、後述の実施例に記載の測定方法により得られる値である。
【００４１】
本明細書において、吸水性樹脂の吸水速度は生理食塩水吸水速度として評価される。吸水性樹脂の生理食塩水吸水速度は、本発明の吸水シートの浸透速度を速め、吸収性物品に使用される際の液漏れを防止する観点から、好ましくは１〜７０秒間であり、より好ましくは２〜６０秒間であり、さらに好ましくは３〜５５秒間である。本明細書において、吸水性樹脂の吸水速度は、後述の実施例に記載の測定方法により得られる値である。
【００４２】
本発明の吸水シートにおいては、１次吸収層に用いられる吸水性樹脂の生理食塩水吸水速度と２次吸収層に用いられるその速度との間に正の値の差があることが好ましい。かかる差が大きいほど、前記した１次吸収層における液の滞留を回避してドライ感を高める効果、かつ液漏れを防止する効果がより強く発揮される。具体的には、（１次吸収層に用いられる吸水性樹脂の生理食塩水吸水速度）−（２次吸収層に用いられる吸水性樹脂の生理食塩水吸水速度）が１０秒間以上であることが好ましく、１５秒間以上であることがより好ましく、２０秒間以上であることがさらに好ましい。
【００４３】
吸水シートの吸収性能向上の観点から、よりさらに好ましい形態として、１次吸収層の吸水性樹脂の種類と２次吸収層の吸水性樹脂の種類を異なったものとする場合、１次吸収層に用いられる吸水性樹脂の生理食塩水吸水速度は、本発明の吸水シートの浸透速度を速め、１次吸収層における液の滞留を回避して、吸収性物品に使用される際の肌へのドライ感を増す観点から、好ましくは２０〜７０秒間であり、より好ましくは２５〜６０秒間であり、さらに好ましくは３０〜５５秒間である。一方、２次吸収層に用いられる吸水性樹脂の生理食塩水吸水速度は、本発明の吸水シートの傾斜における漏れを少なくし、吸収性物品に使用される際の液漏れによる不快感を防止する観点から、好ましくは１〜４０秒間であり、より好ましくは２〜３０秒間であり、さらに好ましくは２〜２０秒間であり、よりさらに好ましくは３〜１５秒間である。
【００４４】
本発明に用いられる吸水性樹脂の中位粒径は、特に限定されないが、１００〜６００μｍが好ましく、１５０〜５５０μｍがより好ましく、２００〜５００μｍがさらに好ましい。粉体としての流動性が悪く、かつ吸水時のゲルブロッキング現象を発生しやすい微粉末の使用を避け、吸水シート製造時の作業性と吸水シートの基本性能を高める観点から、吸水性樹脂の中位粒径は１００μｍ以上であることが好ましく、吸水シートのゴツゴツする感触を低減して、触感を改善するという観点から、吸水性樹脂の中位粒径は６００μｍ以下であることが好ましい。
【００４５】
一般的に、吸水性樹脂の中位粒径が大きいものは、吸水速度が遅く、中位粒径が小さいものは、吸水速度が速くなる傾向にある。本発明の２次吸収層に用いられる程度に速い吸水速度の樹脂は、例えば従来の吸水性樹脂において中位粒径を１００μｍ未満とすれば得られる可能性はある。しかし、吸水性樹脂の中位粒径が１００μｍ未満まで小さくなると、粉体としての流動性が極めて悪くなり、粉立ちによる作業環境の悪化、吸水性樹脂が不織布から散逸することによる生産性の低下等の問題が発生する。さらに、吸水性樹脂の微粉末が多くなると、前記のゲルブロッキング現象がより発生しやすくなり、吸水シートの吸収性能の低下にもつながる。その他にも、中位粒径の小さい吸水性樹脂が接着剤を覆いやすくなるためか、接着効果が低下して積層体が剥離しやすい傾向にある。
【００４６】
これらの課題を回避するためには、適度な中位粒径を有し、かつ吸水速度の速い吸水性樹脂を２次吸収層に用いることが好ましい。このような吸水性樹脂を得るためには、特定の吸水性樹脂の製造方法を用いること、例えば、重合中に発泡させ連続気泡を導入する水溶液重合法、または特定の乳化剤を用いた逆相懸濁重合法を用いることが好ましく、なかでも得られる吸水性能の高さと、速い吸水速度が安定して得られる観点から後者の方法がより好ましい。特定の乳化剤としては、適度に親水性のノニオン性界面活性剤が好ましく使用され、それらを用いた逆相懸濁重合の吸水性樹脂は、通常、球状や顆粒状、及びそれらが凝集した形態で得られる。かかる形態の樹脂は、粉砕の必要がほとんど無いうえに、粉体としての流動性に優れ、吸水シートを製造時における作業性が優れるなどの観点からも、好ましく用いられる。
【００４７】
一方、１次吸収層に用いられる吸水性樹脂は、前記した範囲の生理食塩水吸水速度に加えて、特定の初期吸水速度と有効吸水量を有することが好ましい。初期吸水速度は、吸水時間０〜３０秒間における１秒あたりの液体の吸水量（ｍＬ）として表され、液浸透の初期におけるゲルブロッキング現象の発生を抑制して１次吸収層における液拡散を促進させ、かつ２次吸収層へも液体を効率よく伝播させる観点から、０．３５ｍＬ／ｓ以下が好ましい。より好ましくは０．０５〜０．３０ｍＬ／ｓであり、さらに好ましくは０．１０〜０．２５ｍＬ／ｓである。液拡散させつつ、液浸透の初期における肌へのドライ感を確保する観点から、０．０５ｍＬ／ｓ以上がより好ましい。
【００４８】
１次吸収層に用いられる吸水性樹脂の有効吸水量は、生理食塩水有効吸水量として４５ｍＬ／ｇ以上が好ましい。より好ましくは５０〜８０ｍＬ／ｇであり、さらに好ましくは５５〜７０ｍＬ／ｇである。吸水性樹脂がより多くの液体を吸収し、逆戻りを低減することでドライ感を得る観点から、有効吸水量は４５ｍＬ／ｇ以上が好ましく、吸水性樹脂の架橋を適度に施すことで吸収時のゲルを強く保ち、ゲルブロッキングを防止する観点から、８０ｍＬ／ｇ以下が好ましい。
【００４９】
前記したように、吸水性樹脂の吸水速度は、中位粒径を大きくすれば遅くなる傾向にあるが、初期吸水速度（ｍＬ／ｓ）に関しては、従来の吸水性樹脂において中位粒径を大きくしても効果は少なく、従来の吸水性樹脂において、例えば中位粒径を６００μｍ以上としても、本発明に求められる初期吸水速度は得られがたい傾向がある。しかも、吸水性樹脂の中位粒径を６００μｍ以上まで大きくすると、吸水シートにおける触感が悪化する傾向がある。そこで、特定の範囲の粒径を有する吸水性樹脂を用いる場合において、１次吸収層の初期吸水速度を特定の範囲に制御する方法としては、例えば、架橋剤によって吸水性樹脂の架橋密度を上げたり、疎水性の添加剤で吸水性樹脂の表面を均一に被覆したり、特定の乳化剤を用いた逆相懸濁重合によって吸水性樹脂を製造する方法等が考えられる。
【００５０】
しかし、架橋剤によって吸水性樹脂の架橋密度を上げれば、特定の初期吸水速度は満足できるかもしれないが、同時に吸水性樹脂の有効吸水量（吸収容量）が低下するため、特定の初期吸水速度と有効吸水量の特性を併せもつ吸水性樹脂を得ることは困難である。
【００５１】
よって、本発明において、１次吸収層に用いられる吸水性樹脂は、特定の初期吸水速度と有効吸水量の特性を併せもつ吸水性樹脂を製造しやすい観点から、疎水性の添加剤を吸水性樹脂の表面に均一被覆したもの、及び特定の乳化剤を用いた逆相懸濁重合により製造されるものがより好ましく、なかでも得られる吸水性能の高さから、後者の方がさらに好ましい。特定の乳化剤としては、適度に疎水性のノニオン性界面活性剤が好ましく使用され、それらを用いた逆相懸濁重合の吸水性樹脂は、通常、球状やフットボール状、及びそれらが凝集した形態で得られる。かかる形態の樹脂は、粉砕の必要がほとんど無いうえに、粉体としての流動性に優れ、吸水シートの製造時における作業性が優れるなどの観点からも、好ましく用いられる。
【００５２】
なお、２次吸収層に用いられる吸水性樹脂の有効吸水量は特に限定されないが、３０ｍＬ／ｇ以上が好ましく、４５ｍＬ／ｇ以上がさらに好ましい。
【００５３】
本明細書において、吸水性樹脂の有効吸水量は、後述の実施例に記載の測定方法により得られる値である。
【００５４】
吸収層に含有される接着剤としては、例えば、天然ゴム系、ブチルゴム系、ポリイソプレン等のゴム系接着剤；スチレン−イソプレンブロック共重合体(SIS)、スチレン−ブタジエンブロック共重合体(SBS)、スチレン−イソブチレンブロック共重合体(SIBS)、スチレン−エチレン−ブチレン−スチレンブロック共重合体(SEBS)等のスチレン系エラストマー接着剤；エチレン−酢酸ビニル共重合体(EVA)接着剤；エチレン−アクリル酸エチル共重合体(EEA)、エチレン−アクリル酸ブチル共重合体(EBA)等のエチレン−アクリル酸誘導体共重合系接着剤；エチレン−アクリル酸共重合体(EAA)接着剤；共重合ナイロン、ダイマー酸ベースポリアミド等のポリアミド系接着剤；ポリエチレン、ポリプロピレン、アタクチックポリプロピレン、共重合ポリオレフィン等のポリオレフィン系接着剤；ポリエチレンテレフタレート(PET)、ポリブチレンテレフタレート(PBT)、共重合ポリエステル等のポリエステル系接着剤等、及びアクリル系接着剤が挙げられ、これらは２種以上が併用されていてもよい。本発明においては、接着力が強く、吸水シートにおける不織布の剥離や吸水性樹脂の散逸を防ぐことができるという観点から、エチレン−酢酸ビニル共重合体接着剤、スチレン系エラストマー接着剤、ポリオレフィン系接着剤及びポリエステル系接着剤が好ましい。
【００５５】
接着剤の溶融温度は、吸水性樹脂を不織布に十分に固定するとともに、不織布の熱劣化や変形を防止する観点から、６０〜１８０℃が好ましく、７０〜１５０℃がより好ましく、７５〜１２５℃がさらに好ましい。なお、本発明の吸水シートにおいて、接着剤は、吸水シートの製造過程において、溶融後、冷却によりそのまま固化した状態で不織布や親水性樹脂に接着したものである。
【００５６】
吸水シートにおける接着剤の含有量は、吸水性樹脂の含有量（質量基準）の０．０５〜２．０倍の範囲であることが好ましく、０．０８〜１．５倍の範囲であることがより好ましく、０．１〜１．０倍の範囲であることがさらに好ましい。十分な接着によって不織布の剥離や吸水性樹脂の散逸を防止し、吸水シートの形態保持性を高める観点から、接着剤の含有量は０．０５倍以上であることが好ましく、接着が強くなり過ぎることによる吸水性樹脂の膨潤阻害を回避し、吸水シートの浸透速度や液漏れを改善する観点から、接着剤の含有量は２．０倍以下であることが好ましい。
【００５７】
吸収層は、吸水性樹脂及び接着剤を含有してなるものであり、例えば、不織布上で吸水性樹脂と接着剤の混合粉末を均一に散布し、通気性分画層を重ねて、接着剤の溶融温度付近で加熱すること、要すれば圧力下で加熱することにより形成される。または、不織布上に、接着剤を塗布した後、吸水性樹脂を均一に散布し、通気性分画層を重ねて、要すれば圧力下で加熱することにより形成される。
【００５８】
本発明の吸水シートは、従来法を利用して、例えば以下のような方法で製造することができる。
(a)不織布の上に、吸水性樹脂と接着剤の混合粉末を均一に散布し、さらに通気性分画層を重ねて、接着剤の溶融温度付近で加熱圧着する。当該通気性分画層の上に前記同様に混合粉末を散布し、再度、不織布を加熱圧着する。
【００５９】
(b)不織布の上に、吸水性樹脂と接着剤の混合粉末を均一に散布し、さらに通気性分画層を重ねた後、再度、当該通気性分画層の上に混合粉末を散布し、不織布を重ねたものを一括して加熱圧着する。
【００６０】
(c)不織布の上に、吸水性樹脂と接着剤の混合粉末を均一に散布し、加熱炉を通過させて粉末が散逸しない程度に固定する。通気性分画層を重ねた後、再度、当該通気性分画層の上に混合粉末を散布し、不織布を重ねたものを一括して加熱圧着する。
【００６１】
(d)不織布の上に接着剤を溶融塗布した後、吸水性樹脂を均一に散布して層を形成させ、さらに、接着剤を溶融塗布した通気性分画層を、接着剤の塗布面が散布した吸水性樹脂層の側に向くように上部から重ね、ロールプレスなどを用いて加圧して、要すれば加熱して、圧着する。当該通気性分画層の上に、さらに接着剤と吸水性樹脂の層を形成させ、前記通気性分画層を不織布に変更して前記同様の操作を行う。
【００６２】
例えば、これら(a)〜(d)に示された方法によって吸水シートを製造することで、吸水性樹脂及び接着剤を含有してなる吸収層が、不織布により当該吸収層の上方及び下方から挟持された構造を有し、当該吸収層が１次吸収層と２次吸収層とに分画されてなる積層構造を達成することができる。なかでも、製造方法の簡便さと製造効率の高さの観点から、(b)、(d)の方法がより好ましい。
【００６３】
なお、(a)〜(d)に例示された方法の中から、１次吸収層と２次吸収層の接着方法を別個に選択し、組み合わせて製造することもできる。吸水シートの触感の改善及び吸収性能の向上を目的として、シート製造における加熱圧着時やシート製造後に、エンボス加工を施してもよい。
【００６４】
また、本発明の吸水シートは、消臭剤、抗菌剤やゲル安定剤等の添加剤が適宜配合されていてもよい。
【００６５】
本発明の吸水シートは、薄型化が可能である点に一つの特長を有しており、吸収性物品への使用を考慮すると、吸水シートの厚みは、乾燥状態で、３ｍｍ以下が好ましく、２．５ｍｍ以下がより好ましく、０．５〜２ｍｍがさらに好ましく、０．８〜１．６ｍｍがより好ましい。
【００６６】
さらに本発明の吸水シートは、液体の浸透速度が速い点に一つの特長を有しており、吸収性物品への使用を考慮すると、吸水シートの合計浸透速度が１００秒以下であることが好ましく、９０秒以下がより好ましく、８０秒以下がさらに好ましい。
【００６７】
さらに本発明の吸水シートは、液体の液漏れが少ない点に一つの特長を有しており、吸収性物品への使用を考慮すると、吸水シートの漏れ指数が１００以下であることが好ましく、５０以下がより好ましく、３０以下がさらに好ましい。
【００６８】
さらに本発明の吸水シートは、吸水シートの形態保持性が高い点に一つの特長を有している。吸収性物品の製造工程において、吸水シートが機械方向（長手方向）に引き伸ばされる際に、吸水シートの形態が崩れて、交差方向の幅が狭まる現象、いわゆるネックダウンが発生する。引き伸ばされた吸水シートが、工程中で所定のサイズに裁断され、引き伸ばし力が解除された後でもネックダウンから元の状態に復元しない場合、交差方向の長さのばらつきが発生し、吸収性物品の品質安定性に悪影響を及ぼす。このような吸水シートのネックダウンは、より少ない方が好ましい。
【００６９】
吸水シートの形態保持性は、後述される耐ネックダウン率によって測定され、吸収性物品への使用を考慮すると、耐ネックダウン率が８５％以上であることが好ましく、９０％以上がより好ましく、９５％以上がさらに好ましい。
前記のような性質を有する吸水シートが、吸収性物品への使用を考慮すると非常に好ましい。
【００７０】
さらに本発明の吸水シートは、解砕パルプ等の天然由来の素材の使用量が極めて少ないため、前記した厚み、浸透速度、漏れ指数において高性能でありながら、環境への配慮もなされたものである。天然素材の比率は２０％以下が好ましく、１０％以下がより好ましく、５％以下がさらに好ましく、３％以下がよりさらに好ましい。天然素材の比率は、吸水シートの構成成分に微量ながら含まれるパルプ、綿等の合計含有量を、吸水シートの質量にて除することで算出される。
【００７１】
次に、本発明の吸水シートの構造について、図１を参照して説明する。ここで、図１は本発明の吸水シートの構造を模式的に示す拡大断面図である。
【００７２】
図１に示される吸水シート５１は、第１の吸水性樹脂５２と接着剤５０とを含有してなる１次吸収層５３と、第２の吸水性樹脂５４と接着剤５０とを含有してなる２次吸収層５５とを有している。ここで１次吸収層とは、当該吸水シートを用いて吸収性物品を作製した時に、吸収対象の液体が供給される側をいい、２次吸収層とは、１次吸収層を介して吸収対象の液体が供給される側をいう。従って、本発明の吸水シートにおいて、１次吸収層５３及び２次吸収層５５は、図１に示されるように吸水シート５１の厚み方向に、通気性分画層５６を介して間接的に積層された構造となる。
【００７３】
そして、図１において、２つの吸収層が実質的に混合しないように、１次吸収層と２次吸収層とに分画されている。図１における吸水シート５１は、１次吸収層５３、２次吸収層５５、通気性分画層５６並びに当該１次吸収層５３の外面に位置する不織布５７、及び当該２次吸収層５５の外面に位置する親水性不織布５８からなる５層構造である。
【００７４】
なお、図２及び図３に示される吸水シートも、本発明の吸水シートの別の形態の例示である。図２においては、図１における不織布５７に代えてその他の不織布５９を用いた例である。図３においては、接着剤６０を親水性不織布５８等に溶融塗布した例である。
【００７５】
本発明の吸水シートの好ましい態様としては、吸水シートの吸収層の上方の不織布としては、親水性不織布であって、その種類は特に限定されず、かつ吸水シートの吸収層の下方の不織布としては、親水性不織布であって、好ましくはスパンボンド不織布であり、通気性分画層としては、親水性不織布であって、好ましくはスパンボンド不織布である。
【００７６】
本発明の吸収性物品は、本発明の吸水シートが、液体透過性シート及び液体不透過性シートで挟持されてなる。吸収性物品としては、例えば紙おむつ、失禁パッド、生理用ナプキン、ペットシート、食品用ドリップシート、電力ケーブルの止水剤等が挙げられる。さらに、液体透過性シート及び液体不透過性シートとしては、吸収性物品の技術分野で公知のものを、特に制限なく用いることができる。かかる吸収性物品は、公知の方法によって製造することができる。
【実施例】
【００７７】
以下に、本発明を実施例に基づいてさらに詳細に説明するが、本発明は、かかる実施例のみに限定されるものではない。
吸水性樹脂及び吸水シートの性能は、以下の方法により測定した。【００７８】
＜吸水性樹脂の生理食塩水保水能＞
吸水性樹脂２．０ｇを、綿袋（メンブロード６０番、横１００ｍｍ×縦２００ｍｍ）中に計り取り、５００ｍＬ容のビーカーに入れた。綿袋に生理食塩水（０．９質量％塩化ナトリウム水溶液、以下同様）５００ｇを一度に注ぎ込み、吸水性樹脂のママコが発生しないように生理食塩水を分散させた。綿袋の上部を輪ゴムで縛り、１時間放置して、吸水性樹脂を十分に膨潤させた。遠心力が１６７Ｇとなるよう設定した脱水機（国産遠心機株式会社製、品番：H-122）を用いて綿袋を１分間脱水し、脱水後の膨潤ゲルを含んだ綿袋の質量Ｗａ（ｇ）を測定した。吸水性樹脂を添加せずに同様の操作を行い、綿袋の湿潤時空質量Ｗｂ（ｇ）を測定し、次式により吸水性樹脂の生理食塩水保水能を求めた。
吸水性樹脂の生理食塩水保水能（ｇ／ｇ）＝［Ｗａ−Ｗｂ］（ｇ）／吸水性樹脂の質量（ｇ）【００７９】
＜吸水性樹脂の初期吸水速度及び有効吸水量＞
吸水性樹脂の初期吸水速度及び有効吸水量は、図４に示す測定装置を用いて測定した。
当該測定装置は、ビュレット部１と導管２、測定台３、不織布４、架台６、クランプ７からなるものであった。ビュレット部１は、０．１ｍＬ単位で目盛が記載されたビュレット１０の上部にゴム栓１４、下部に空気導入管１１とコック１２が連結されており、さらに、ビュレット１０の下部の先端にコック１３を有していた。ビュレット部１はクランプ７で固定されていた。ビュレット部１と測定台３の間には、導管２が取り付けられており、導管２の内径は６ｍｍであった。測定台３の中央部には、直径２ｍｍの穴があいており、導管２が連結されていた。測定台３は架台６によって適切な高さに支持されていた。【００８０】
このような測定装置を用いた、初期吸水速度及び有効吸水量の測定は以下の手順によって実施した。測定は温度２５℃、湿度４５〜７５％の室内にて行われた。まずビュレット部１のコック１２とコック１３を閉め、２５℃に調節された０．９質量％食塩水をビュレット１０上部から入れ、ゴム栓１４でビュレット上部の栓をした後、ビュレット部１のコック１２、コック１３を開けた。次に、気泡を除去しながら導管２内部に０．９質量％食塩水を満たし、測定台３中心部の導管口から出てくる０．９質量％食塩水の水面と、測定台３の上面とが同じ高さになるように測定台３の高さの調整を行った。【００８１】
次いで、測定台３中心部の導管口に３０×３０ｍｍに裁断した不織布４（目付量２５ｇ／ｍ2の親水性レーヨンスパンレース）を敷き、平衡になるまで不織布に吸水させた。不織布が吸水している状態では、空気導入管１１からビュレット１０への気泡発生が見られたが、数分内に気泡発生が停止したことを確認して、平衡に到達したと判断した。平衡後、ビュレット１０の目盛を読んで、ゼロ点として記録した。【００８２】
別途、吸水性樹脂５を０．１０ｇ正確に測りとり、不織布４の中心部に一気に投入した。ビュレット１０内の０．９質量％食塩水の減少量（すなわち、吸水性樹脂５の粒子が吸水した０．９質量％食塩水量）を順次読み取り、吸水性樹脂５の投入から起算して３０秒後の０．９質量％食塩水の減量分Ｗｃ（ｍＬ）を吸水性樹脂０．１０ｇあたりの吸水量として記録した。なお、３０秒経過後も減量分の計測を続け、吸水性樹脂５の投入から起算して３０分後の０．９質量％食塩水の減量分Ｗｄ（ｍＬ）を測定して、測定を完了した。測定は１種類の吸水性樹脂に対して５回実施し、最低値と最高値を除いた３点の平均値を用いた。【００８３】
投入から３０秒後に吸水性樹脂５が吸水した０．９質量％食塩水の量Ｗｃ（ｍＬ）を吸水性樹脂１ｇあたりの吸水量に変換し、さらに３０（秒）で割って得られた商を、当該吸水性樹脂の初期吸水速度（ｍＬ／ｓ）とした。すなわち、初期吸水速度（ｍＬ／ｓ）＝Ｗｃ÷（０．１０×３０）である。【００８４】
また、投入から３０分後に吸水性樹脂５が吸水した０．９質量％食塩水の量Ｗｄ（ｍＬ）を吸水性樹脂１ｇあたりの吸水量に変換し、当該吸水性樹脂の生理食塩水有効吸水量（ｍＬ／ｇ）とした。すなわち、有効吸水量（ｍＬ／ｇ）＝Ｗｄ÷０．１０である。【００８５】
＜吸水性樹脂の生理食塩水吸水速度＞
本試験は、２５℃±１℃に調節された室内で行った。１００ｍＬ容のビーカーに、生理食塩水５０±０．１ｇを量りとり、マグネチックスターラーバー（８ｍｍφ×３０ｍｍのリング無し）を投入し、ビーカーを恒温水槽に浸漬して、液温を２５±０．２℃に調節した。次に、マグネチックスターラー上にビーカーを置いて、回転数６００ｒ／ｍｉｎとして、生理食塩水に渦を発生させた後、吸水性樹脂２．０±０．００２ｇを、前記ビーカーに素早く添加し、ストップウォッチを用いて、吸水性樹脂の添加後から液面の渦が収束する時点までの時間（秒）を測定し、吸水性樹脂の生理食塩水吸水速度とした。【００８６】
＜吸水性樹脂の中位粒径＞
別に規定のない限り、吸水性樹脂の粒径を中位粒径として規定し、次のようにして測定した。吸水性樹脂１００ｇに、滑剤として、０．５ｇの非晶質シリカ（デグサジャパン（株）、Sipernat 200）を混合した。【００８７】
前記吸水性樹脂粒子を、JIS標準篩の目開き２５０μｍの篩を用いて通過させ、その５０質量％以上が通過する場合には（Ａ）の篩の組み合わせを、その５０質量％以上が篩上に残る場合には（Ｂ）の篩の組み合わせを用いて中位粒径を測定した。【００８８】
（Ａ）JIS標準篩を上から、目開き４２５μｍの篩、目開き２５０μｍの篩、目開き１８０μｍの篩、目開き１５０μｍの篩、目開き１０６μｍの篩、目開き７５μｍの篩、目開き４５μｍの篩及び受け皿の順に組み合わせた。【００８９】
（Ｂ）JIS標準篩を上から、目開き８５０μｍの篩、目開き６００μｍの篩、目開き５００μｍの篩、目開き４２５μｍの篩、目開き３００μｍの篩、目開き２５０μｍの篩、目開き１５０μｍの篩及び受け皿の順に組み合わせた。【００９０】
組み合わせた最上の篩に、前記吸水性樹脂粒子を入れ、ロータップ式振とう器を用いて２０分間振とうさせて分級した。【００９１】
分級後、各篩上に残った吸水性樹脂の質量を全量に対する質量百分率として計算し、粒径の大きい方から順に積算することにより、篩の目開きと篩上に残った吸水性樹脂の質量百分率の積算値との関係を対数確率紙にプロットした。確率紙上のプロットを直線で結ぶことにより、積算質量百分率５０質量％に相当する粒径を中位粒径とした。【００９２】
＜吸水シートの厚みの測定＞
得られた吸水シートの厚みは、厚み測定器（株式会社尾崎製作所製、型番：J-B）を用いて測定した。測定箇所として、長手方向に左端、中央、右端の３箇所を任意に決め、例えば大きさが１０×３０ｃｍのもの場合、左から３ｃｍを左端、１５ｃｍを中央、２７ｃｍを右端とした。幅方向は均等な中央部を測定した。厚みの測定値は各箇所で３回測定して平均した。さらに、左端、中央、右端の値を平均して、吸水シート全体の厚みとした。【００９３】
＜吸水シートの形態保持性（耐ネックダウン率）＞
吸水シートの耐ネックダウン率は以下の方法により測定した。得られた吸水シートを５×２０ｃｍの短冊状で、長手方向が不織布の縦方向（機械方向）となるように切断した。次いで、縦方向において５ｃｍ間隔で、横方向（交差方向）に鉛筆で長さ５ｃｍの目印の線を３本引いて、測定用の試験片とし、中央の目印線において交差方向の長さを測定した（Ｌａ）。【００９４】
試験片を引っ張り試験機（島津製作所製、オートグラフAGS-J）に、長手方向が引っ張り方向となるように、チャック間距離１０ｃｍで止め、引っ張り速度１０ｃｍ／分の速度で引っ張り、チャック間距離１２ｃｍまで引っ張ったところで装置を1分間停止した。その後、試験片をチャックから取り外してから５分後に、再度、中央の目印線部分において、交差方向の長さを測定した（Ｌｂ）。【００９５】
耐ネックダウン率（Ｎ）は、以下の式により算出した。なお、耐ネックダウン率が１００に近いほど、変形しにくい、または変形からの復元が早く、優れた吸水シートと判断される。
Ｎ（％）＝Ｌｂ／Ｌａ×１００【００９６】
＜吸水シートの触感＞
吸水シートの触感は以下の方法によって評価した。得られた吸水シートを１０×３０ｃｍの大きさにカットした。１０名のパネラーを選出し、以下の基準によって触感を３段階評価してもらい、パネラーの評価値を平均することで、吸水シートの触感を評価した。【００９７】
段階Ａ：表面の感触が滑らかで、折り曲げる際の感触も柔らかい（評価値：５）。
段階Ｂ：表面の感触は滑らかであるが、曲げる際に抵抗を感じる（評価値：３）。
段階Ｃ：表面がザラついた感じで、曲げにくく、曲げた後の復元力も乏しい（評価値：１）。【００９８】
＜吸水シートの合計浸透速度及び逆戻り量の評価＞
吸水シートを１０×３０ｃｍの短冊状で、長手方向が不織布の縦方向（機械方向）となるように切断したものを、サンプルとして使用した。【００９９】
１０Ｌ容の容器に、塩化ナトリウム６０ｇ、塩化カルシウム二水和物１．８ｇ、塩化マグネシウム六水和物３．６ｇ及び適量の蒸留水を入れ、完全に溶解させた。次に、１質量％ポリ（オキシエチレン）イソオクチルフェニルエーテル水溶液１５ｇを添加し、さらに蒸留水を添加して、水溶液全体の質量を６０００ｇに調整した後、少量の青色１号で着色して、試験液を調製した。【０１００】
サンプル（吸水シート）の上部に、サンプルと同じ大きさ（１０×３０ｃｍ）、目付量２２ｇ／ｍ2のポリエチレン製エアスルー型多孔質液体透過性シートを載せた。また、サンプルの下にこのシートと同じ大きさ、目付量のポリエチレン製液体不透過性シートを置き、簡易的な吸収性物品を作製した。この吸収性物品の中心付近に、内径３ｃｍの円筒型シリンダーを置き、５０ｍＬの試験液を一度に投入するとともに、ストップウォッチを用いて、試験液が完全に吸収性物品に浸透するまでの時間を測定し、１回目の浸透速度（秒）とした。次いで３０分後及び６０分後にも同様の操作を行い、２回目及び３回目の浸透速度（秒）を測定した。１回目〜３回目の秒数の合計を合計浸透速度とした。【０１０１】
１回目の試験液投入開始から１２０分後にシリンダーを取り除き、吸収性物品上の液投入位置付近に、あらかじめ質量（Ｗｅ（ｇ）、約７０ｇ）を測定しておいた１０ｃｍ四方の濾紙（約８０枚）を置き、その上に１０ｃｍ×１０ｃｍの５ｋｇの重りを載せた。５分間の荷重後、濾紙の質量（Ｗｆ（ｇ））を測定し、増加した質量を逆戻り量（ｇ）とした。
逆戻り量（ｇ）＝Ｗｆ−Ｗｅ【０１０２】
＜傾斜における漏れ試験＞
傾斜における漏れ試験は、図５に示す装置を用いて行った。
概略としては、市販の実験設備用の架台３１を用いて、アクリル板３２を傾斜させて固定した後、板上に載置した吸水シート３３に鉛直上方から滴下ロート３４で前記の試験液を投入し、漏れ量を天秤３５で計量する機構である。以下に詳細な仕様を示す。【０１０３】
アクリル板３２は傾斜面方向の長さが４５ｃｍで、架台３１によって水平に対して成す角４５±２°になるよう固定した。アクリル板３２は幅１００ｃｍ、厚さ１ｃｍで、複数の吸水シート３３を並行して測定することも可能であった。アクリル板３２の表面は滑らかなので、板に液体が滞留したり吸収されたりすることはなかった。【０１０４】
架台３１を用いて、滴下ロート３４を傾斜アクリル板３２の鉛直上方に固定した。滴下ロート３４は、容量１００ｍＬ、先端部の内径が約４ｍｍφであり、８ｍＬ／秒で液が投入されるようにコックの絞りを調整した。【０１０５】
アクリル板３２の下部には、金属製トレイ３６を載置した天秤３５が設置されており、漏れとして流れ落ちる試験液をすべて受けとめ、その質量を０．１ｇの精度で記録した。【０１０６】
このような装置を用いた傾斜における漏れ試験は以下の手順で行った。長さ３０ｃｍ・幅１０ｃｍのサイズの短冊状で、長手方向が不織布の縦方向（機械方向）となるように切断した吸水シート３３の質量を測定した後、同サイズのエアスルー型ポリエチレン製液体透過性不織布（目付量２２ｇ／ｍ2）を上方から付し、さらに、同サイズ、同目付量のポリエチレン製液体不透過性シートを下方から付して作製した簡易的な吸収性物品を、アクリル板３２上に貼り付けた（漏れを作為的に止めないために、吸水シート３３の下端はアクリル板３２上には貼り付けなかった）。【０１０７】
吸水シート３３の上端から２ｃｍ下方向の箇所に目印をつけ、滴下ロート３４の投入口を、目印から鉛直上方距離８±２ｍｍになるように固定した。【０１０８】
天秤３５を起動させ、表示をゼロに補正した後、滴下ロート３４に前記試験液８０ｍＬを一度に投入した。試験液が吸水シート３３に吸収されずに傾斜したアクリル板３２を流れ、金属製トレイ３６に入った液量を測定し、１回目の漏れ量（ｍＬ）とした。この１回目の漏れ量（ｍＬ）の数値をＬＷ１とした。【０１０９】
１回目の投入開始から１０分間隔にて、同様に２回目、３回目の試験液を投入して、２回目、３回目の漏れ量（ｍＬ）を測定し、その数値をそれぞれＬＷ２、ＬＷ３とした。【０１１０】
次いで、以下の式に従って漏れ指数を算出した。指数がゼロに近づくほど、吸水シートの傾斜における漏れ量、特に初期の漏れ量が少なく、優れた吸水シートと判断される。
漏れ指数：Ｌ＝ＬＷ１×１０＋ＬＷ２×５＋ＬＷ３【０１１１】
＜不織布の親水度＞
本明細書において、不織布の親水度は、紙パルプ試験方法Ｎｏ．６８（２０００）に記載の「はっ水性試験方法」に記載の装置を用いて測定した。【０１１２】
すなわち、４５度の傾斜をもつ試験片取り付け装置に、長さ３０ｃｍ、幅１０ｃｍのサイズの短冊状で、長手方向が不織布の縦方向（機械方向）となるように切断した不織布試験片を取り付けた。ビュレットのコック開口部を３０秒あたり１０ｇの蒸留水を供給するように調整したビュレットを一旦乾燥させ、傾斜を持つ装置に取り付けた試験片の最上部から垂直方向に５ｍｍ上の部分にビュレットの先端が配置するように固定した。ビュレット上部から蒸留水約５０ｇを添加し、ビュレット先端から不織布試験片に液が滴下され始めてから、試験片が液を保持しきれずに下部から液がもれ出るまでの時間（秒）を測定し、不織布の親水度とした。数値が大きいほど親水度が高いと判断される。【０１１３】
通常、不織布の素材自身が親水性を有するか、親水化処理を施した不織布では、親水度の数値は５以上となる一方、親水性の低い素材の不織布では、表面で液滴が滑らかに走り、即座に下部から液がもれ出る傾向がある。【０１１４】
（実施例１）
加熱温度を１５０℃に設定したホットメルト塗工機（株式会社ハリーズ製：マーシャル１５０）上に、幅３０ｃｍのポリプロピレン製スパンボンド−メルトブローン−スパンボンド(SMS)不織布に親水化剤により親水化処理したもの（目付量：１３ｇ／ｍ2、厚さ：１５０μｍ、ポリプロピレン含有率：１００％、親水度＝１６；「不織布Ａ−１」とする）を敷いた後、接着剤としてスチレン−ブタジエン−スチレン共重合体（SBS；軟化点８５℃）を目付量１５ｇ／ｍ2で当該不織布上に塗布した。【０１１５】
次に、ローラー型散布機（株式会社ハシマ製：シンターエースＭ／Ｃ）の投入口に、吸水性樹脂としてのポリアクリル酸ナトリウム架橋体（住友精化株式会社製：アクアキープSA55SX-II；中位粒径：３６０μｍ；生理食塩水吸水速度：４２秒；生理食塩水保水能：３５ｇ／ｇ、初期吸水速度：０．１８ｍＬ／ｓ、有効吸水量：５８ｍＬ／ｇ；「樹脂Ａ」とする）を仕込んだ。一方、散布機下部のコンベアーに、前記接着剤塗布不織布を敷いた。次いで、散布ローラーと下部コンベアーを稼動させることにより、樹脂Ａを目付量２００ｇ／ｍ2で不織布上に均一に積層した。【０１１６】
得られた積層体を、上部から目付量１５ｇ／ｍ2で接着剤としての前記SBSを前記と同様の方法で塗布した通気性分画層としての別の不織布Ａ−１で挟みつけた後、加熱温度を１００℃に設定したラミネート機（株式会社ハシマ製：直線式接着プレスHP-600LF）にて熱融着させることでこれらを一体化し、吸水シート中間物を得た。【０１１７】
前記と同様に、加熱温度を１５０℃に設定したホットメルト塗工機上に、吸水シート中間物を通気性分画層が上になるように敷いた後、接着剤として前記SBSを目付量１０ｇ／ｍ2で吸水シート中間物上に塗布した。【０１１８】
次に、ローラー型散布機の投入口に、吸水性樹脂としてのポリアクリル酸ナトリウム架橋体（住友精化株式会社製：アクアキープ10SH-PB；中位粒径：３２０μｍ、生理食塩水吸水速度：３秒、生理食塩水保水能：４２ｇ／ｇ、有効吸水量：６５ｍＬ／ｇ；「樹脂Ｂ」とする）を仕込んだ。一方、散布機下部のコンベアーに、接着剤が塗布された面を上にして吸水シート中間物を敷いた。次いで、散布ローラーと下部コンベアーを稼動させることにより、樹脂Ｂを目付量５０ｇ／ｍ2で、前記吸水シート中間物の不織布上に均一に積層した。【０１１９】
得られた積層体を、上部から目付量１０ｇ／ｍ2で前記SBSを前記と同様の方法で塗布した別の不織布Ａ−１で挟みつけた後、加熱温度を１００℃に設定したラミネート機（株式会社ハシマ製：直線式接着プレスHP-600LF）にて熱融着させることでこれらを一体化し、吸水シートを得た。得られた吸水シートの構造の断面を模式的に示せば、図３のような構造であった。
吸水シートは所定の大きさにカットされ、吸水シート性能を測定した。結果を表２に示す。【０１２０】
（実施例２〜４）
実施例１において、使用する不織布の種類等を表１に記載されたとおりに変更する以外は、実施例１と同様の方法によって吸水シートを得た。得られた吸水シートは所定の大きさにカットされ、吸水シート性能を測定した。結果を表２に示す。【０１２１】
（実施例５）
ローラー型散布機（株式会社ハシマ製：シンターエースＭ／Ｃ）の投入口に、接着剤としての低密度ポリエチレン（融点１０７℃）４０質量部と、吸水性樹脂としての樹脂Ａの３５０質量部とを均一混合させたものを仕込んだ。一方、散布機下部のコンベアーに、幅３０ｃｍのポリプロピレン製SMS不織布に親水化剤により親水化処理したもの（目付量１１ｇ／ｍ2、厚さ：１２０μｍ、ポリプロピレン含有率：１００％、親水度＝１２；「不織布Ａ−４」とする）を敷いた。次いで、散布ローラーと下部コンベアーを稼動させることにより、前記混合物を目付量３９０ｇ／ｍ2で前記不織布上に均一に積層した。【０１２２】
得られた積層体を、上部から通気性分画層としての別の不織布Ａ−４で挟みつけた後、加熱温度１４０℃に設定した熱ラミネート機（株式会社ハシマ製：直線式接着プレスHP-600LF）にて熱融着させることで一体化し、吸水シートの中間物を得た。【０１２３】
別途、ローラー型散布機（株式会社ハシマ製：シンターエースＭ／Ｃ）の投入口に、接着剤としての前記低密度ポリエチレン３０質量部と、吸水性樹脂としての樹脂Ｂ８０質量部とを均一混合させたものを仕込んだ。ローラー型散布機のコンベアーに、前記吸水シートの中間物を通気性分画層が上になるよう敷き、散布ローラーと下部コンベアーを稼動させることにより、前記混合物を目付量１１０ｇ／ｍ2で前記中間物上に、均一に積層した。【０１２４】
得られた積層体を、上部から別の不織布Ａ−４で挟みつけ、さらに加熱温度１４０℃に設定した熱ラミネート機（株式会社ハシマ製：直線式接着プレスHP-600LF）にて熱融着させることで一体化し、吸水シートを得た。得られた吸水シートの構造の断面を模式的に示せば、図１のような構造であった。吸水シートは所定の大きさにカットされ、吸水シート性能を測定した。結果を表２に示す。【０１２５】
（比較例１）
加熱温度を１５０℃に設定したホットメルト塗工機（株式会社ハリーズ製：マーシャル１５０）上に、幅３０ｃｍのポリプロピレン製メルトブローン不織布（目付量：１５ｇ／ｍ2、厚さ：１２０μｍ、ポリプロピレン含有率：１００％、親水度＝１５；「不織布Ｃ」とする）を敷いた後、接着剤として、実施例１と同様のSBSを目付量２０ｇ／ｍ2で当該不織布上に塗布した。【０１２６】
次に、ローラー型散布機（株式会社ハシマ製：シンターエースＭ／Ｃ）の投入口に、吸水性樹脂としての樹脂Ａを仕込んだ。一方、散布機下部のコンベアーに、前記接着剤塗布不織布を敷いた。次いで、散布ローラーと下部コンベアーを稼動させることにより、樹脂Ａを目付量２５０ｇ／ｍ2で不織布上に均一に積層した。【０１２７】
得られた積層体を、上部から目付量２０ｇ／ｍ2で前記SBSを前記と同様の方法で塗布した不織布Ｃで挟みつけた後、加熱温度を１００℃に設定したラミネート機（株式会社ハシマ製：直線式接着プレスHP-600LF）にて熱融着させることでこれらを一体化し、比較例１の吸水シートを得た。吸水シートは所定の大きさにカットされ、吸水シート性能を測定した。結果を表２に示す。
【０１２８】
（比較例２〜４）
実施例１において、使用する不織布の種類等を表１に記載されたとおりに変更する以外は、実施例１と同様の方法によって吸水シートを得た。得られた吸水シートは所定の大きさにカットされ、吸水シート性能を測定した。結果を表２に示す。【０１２９】
【表１】
0005877710.tif 000002
【０１３０】
＊：吸水性樹脂の１次吸収層と２次吸収層（１次／２次）の比率（質量比）
＊＊：接着剤の含有量（対吸水性樹脂の含有量（質量基準））
なお、樹脂Ａ及び樹脂Ｂは共に、逆相懸濁重合法により得られた樹脂である。【０１３１】
【表２】
0005877710.tif 000003
【０１３２】
さらに表３に、各実施例、比較例で用いた不織布の構造、材質などの詳細を示す。なお、不織布Ｂ−１及びＢ−２の材質（レーヨン、ＰＥＴ）におけるレーヨン比率は、Ｂ−１及びＢ−２共に７０％であった。【０１３３】
【表３】
0005877710.tif 000004
【０１３４】
表１及び表２より、実施例１〜５のごとく、特定の不織布を用いた本発明の構造を有する吸水シートは、浸透速度、逆戻り、傾斜における漏れ指数等において優れた性能を有していることが分かった。さらに、傾斜における漏れ試験を実施した後の吸水シートの内部を確認したところ、吸収層はその全体が一様に膨潤しており、ゲルブロッキング現象が生じていないことが分かった。【０１３５】
一方、比較例について見れば、吸収層が１層で、メルトブローン不織布のみを使用した場合（比較例１）では、合計浸透速度及び漏れ指数の両方の評価が低く、吸水シートの耐ネックダウン率、触感が劣っていた。吸収層を挟持する２枚の不織布及び通気性分画層のいずれもがスパンボンド不織布であっても、下方の不織布が疎水性である場合（比較例２、３）、吸収性能が十分ではなかった。特に、傾斜における漏れ指数が高い傾向であり、吸収性物品を作製した場合の液漏れにつながる可能性が高いと予想された。これらのことから、少なくとも下方の不織布が親水性を有しない場合、おおよそ吸収シートとして吸収性物品に使用できるレベルの吸収性能に到達できないことが分かった。前記３枚の不織布に親水性を有するレーヨンのスパンレース不織布を使用した場合（比較例４）、吸収性能としては使用可能レベルであったが、吸水シートの耐ネックダウン率が低いため、吸収性物品の製造工程において、吸水シートが機械方向に引き伸ばされる際に、交差方向の長さのばらつきが発生し、吸収性物品の品質が不安定になる可能性があり、吸水シートとして十分満足できるものとはいえない。
【産業上の利用可能性】
【０１３６】
本発明の吸水シートは、衛生材料分野、農業分野、建材分野等の吸収性物品に使用することができ、なかでも、衛生材料分野の吸収性物品に好適に使用することができる。
【符号の説明】
【０１３７】
１  ビュレット部
２  導管
３  測定台
４  不織布
５  吸水性樹脂
６  架台
７  クランプ
１０  ビュレット
１１  空気導入管
１２  コック
１３  コック
１４  ゴム栓
３１  架台
３２  アクリル板
３３  吸水シート
３４  滴下ロート
３５  天秤
３６  金属製トレイ
５０  接着剤
５１  吸水シート
５２  吸水性樹脂
５３  １次吸収層
５４  吸水性樹脂
５５  ２次吸収層
５６  通気性分画層
５７  不織布
５８  親水性不織布
５９  その他の不織布
６０  接着剤
【図１】
0005877710.tif 000005
【図２】
0005877710.tif 000006
【図３】
0005877710.tif 000007
【図４】
0005877710.tif 000008
【図５】
0005877710.tif 000009